(57)【要約】【課題】追記可能な記録媒体よりコンテンツを再生中に面倒な操作をすることなく削除を行う記録再生装置を提供する。【解決手段】曲の再生中に操作部２２の削除キーＥＫが押下されたか否かを判定し、削除キーＥＫが押下された場合、現在再生中の曲の再生を停止し、削除する指示をＨＤＤへ送信し、指示を受けたＨＤＤはＨＤより該当曲を削除し、ついで、削除が終了し次第、ＨＤＤはシステムコントローラへ削除が終了したことを通知し、システムコントローラは再生制御部へ次曲の再生を指示し、再生制御部は、次の曲の再生開始をＨＤＤへ指示し、ＨＤＤがＨＤより次曲の再生を開始するが、削除キーＥＫが押下されない場合、システムコントローラは現在再生中の曲の再生が終了したか否かを判定し、終了した場合は次曲の再生を開始し、終了していない場合は引き続き削除キーＥＫが押下されたか否かの判定を継続する。【選択図】    図１
2004288295.tif 000002
【特許請求の範囲】
【請求項１】
所望のコンテンツを記録再生が可能な記録再生装置において、
所望のコンテンツを記録しておくコンテンツ記録部と、
該コンテンツ記録部より再生中のコンテンツの削除を指示する操作部と、
該操作部より削除指示があった場合、該コンテンツの再生を停止する再生制御部と、
該再生制御部により再生を停止した該コンテンツを前記コンテンツ記録部から削除する削除制御部と、
を備えたことを特徴とする記録再生装置。
【請求項２】
所望のコンテンツを記録再生が可能な記録再生装置において、
所望のコンテンツを記録しておくコンテンツ記録部と、
該コンテンツ記録部より再生中のコンテンツの削除を指示する操作部と、
該操作部より削除指示があった場合、再生中のコンテンツを示す情報を記憶するコンテンツ情報記憶部と、
該コンテンツ情報記憶部に記憶した情報に対応するコンテンツの再生が終了したか否かを判定する再生制御部と、
該再生制御部により、該コンテンツの再生が終了したと判定された場合、該コンテンツを前記コンテンツ記録部から削除する削除制御部と、
を備えたことを特徴とする記録再生装置。
【請求項３】
所望のコンテンツを記録再生が可能な記録再生装置において、
所望のコンテンツを記録しておくコンテンツ記録部と、
該コンテンツ記録部より再生中のコンテンツの削除と削除解除を指示する操作部と、
再生中のコンテンツの情報と該コンテンツが削除指示を受けたことを示す情報とを記憶するコンテンツ情報記憶部と、
該コンテンツ情報記憶部に記憶した情報に対応するコンテンツの再生が終了したか否かを判定する再生制御部と、
前記コンテンツ情報記憶部に記憶したコンテンツ情報のコンテンツを再生中に前記操作部により削除指示があった場合、前記コンテンツ情報記憶部にコンテンツが削除指示を受けたことを示す情報を記録し、その後、前記操作部により削除解除が指示されないかぎり、前記再生制御部より再生中のコンテンツの再生が終了したと判定された場合、前記コンテンツ情報記憶部に記憶したコンテンツが削除指示を受けたことを示す情報に基づき、該当コンテンツを前記コンテンツ記録部から削除する削除制御部と、
を備えたことを特徴とする記録再生装置。
【請求項４】
所望のコンテンツを記録再生が可能な記録再生装置において、
所望のコンテンツを記録しておくコンテンツ記録部と、
該コンテンツ記録部より再生中のコンテンツの削除を指示する操作部と、
該操作部より削除指示があった場合、再生中のコンテンツを削除するかどうかの確認表示を行う表示部と、
該表示部に確認表示が表示されたときに削除を行うか否かの決定を指示する第２の操作部と、
該第２の操作部より削除決定の指示があった場合、該コンテンツの再生を停止する再生制御部と、
該再生制御部により停止した該コンテンツを前記コンテンツ記録部より削除する削除制御部と、
を備えたことを特徴とする記録再生装置。
【発明の詳細な説明】
【０００１】
【発明の属する技術分野】
本発明は、所望のコンテンツの記録再生が可能な記録再生装置に係り、特に追記可能な記録媒体に所望のコンテンツの記録、再生を行い、不必要なコンテンツの削除が可能な記録再生装置に関する。
【０００２】
【従来の技術】
近年、所望のコンテンツ、例えばコンパクトディスク（ＣＤ）に収録されている曲を大容量の記録媒体、例えばハードディスク（ＨＤ）に記録し、前記ＨＤに記録したコンテンツの再生を行う記録再生装置が普及してきている（例えば、特許文献１参照。）。そして、ＨＤに記録した曲を削除するには、曲の再生を停止させて表示装置に表示された曲情報より所望の曲を検索、選択して削除を行うようになっている（例えば、特許文献２参照。）。
【０００３】
【特許文献１】
特開２００２−２４５７１６号公報
【特許文献２】
特開２００２−１７６５７８号公報（段落番号
【０００４】）
【０００５】
【発明が解決しようとする課題】
しかしながら、ＨＤに記録した曲の再生を停止させて表示装置に表示された曲情報より所望の曲を検索、選択して削除を行う場合、表示装置に表示された曲情報、例えば曲名やアーティスト名を見ただけではどのような曲だったかを思い出すことは困難であった。更に、選択した曲を一旦聞いてその曲を削除する場合、再度、曲の再生を停止させて表示装置に表示された曲情報より所望の曲を検索、選択しなければならず、不便であった。
【０００６】
以上より、本発明の目的は、追記可能な記録媒体よりコンテンツを再生中に面倒な操作をすることなく所望のコンテンツの削除を行うことができる記録再生装置を提供することである。
【０００７】
【課題を解決するための手段】
上記課題は、本発明によれば、所望のコンテンツを記録媒体より再生中に操作部より削除の指示があった場合、再生中のコンテンツを停止し、再生を停止したコンテンツを記録媒体から削除することにより達成される。こうすることにより、曲を再生中でも面倒な操作をすることなく削除を行うことができる。
【０００８】
又、上記課題は、本発明によれば、所望のコンテンツを記録媒体より再生中に操作部より削除の指示があった場合、再生中のコンテンツの情報を記憶部に記憶しておき、再生中のコンテンツの再生が終了したとき、記憶部に記憶したコンテンツ情報に基づいて、該当コンテンツを記録媒体から削除することにより達成される。こうすることにより、曲を再生中でも面倒な操作をすることなく削除を行うことができる。
【０００９】
又、上記課題は、本発明によれば、所望のコンテンツを記録媒体より再生中に操作部より削除の指示があった場合、再生中のコンテンツの情報とコンテンツが削除指示を受けたことを示す情報とをメモリ等の記憶部に記憶しておき、記憶部に記憶したコンテンツ情報のコンテンツを再生中に操作部により削除解除指示があった場合、記憶部に記憶したコンテンツ情報のコンテンツが削除指示を受けたことを示す情報を消去し、再生中のコンテンツの再生が終了したとき、記憶部に記憶したコンテンツ情報のコンテンツが削除指示を受けたことを示す情報に基づき、該当するコンテンツを記録媒体から削除することにより達成される。こうすることにより、該当コンテンツが再生中であれば削除のキャンセルも可能になるので曲を再生中でも面倒な操作をすることなく削除／キャンセルを行うことができる。
【００１０】
又、上記課題は、本発明によれば、所望のコンテンツを記録媒体より再生中に操作部より削除の指示があった場合、再生中のコンテンツを削除するかの確認表示を行い、表示した確認表示より削除を行うことが決定された場合、再生中のコンテンツを停止し、再生を停止したコンテンツを記録媒体から削除をすることにより達成される。こうすることにより、表示に従って削除するか否かを決定するので曲を再生中でも面倒な操作をすることなく削除／キャンセルを確実に行うことができる。
【００１１】
【発明の実施の形態】
（Ａ）本発明第１の概略説明
図１の（ａ）は本発明の第１の概略説明図であり、ＨＵは記録再生装置であり、曲を記録する記録媒体、メモリ、記録再生装置の制御を行うシステムコントローラ等を内蔵している。２２は再生、ボリューム調整等の指示を行う操作部、ＥＫは削除の指示を行うキー、２３は現在再生している曲の情報等の表示を行う表示部である。
【００１２】
本発明に係る記録再生装置ＨＵでは、まず、記録再生装置ＨＵに内蔵されている記録媒体に記録されている曲の再生を行う。そして再生中に操作部２２の削除キーＥＫより削除の指示があった場合、システムコントローラは曲の再生を停止し、記録媒体から停止した曲の削除を行い、削除が終了し次第、次の曲の再生を開始する。
【００１３】
（Ｂ）本発明第２の概略説明
本発明に係る記録再生装置ＨＵでは、まず、記録再生装置ＨＵに内蔵されている記録媒体に記録されている曲の再生を行う。そして再生中に操作部２２の削除キーＥＫより削除の指示があった場合、システムコントローラは再生中の曲の情報をメモリに記憶させ、再生中の曲の再生が終了したか否かを判定し、曲の再生が終了した場合、メモリに記憶した曲情報に基づいて、記録媒体から該当する曲の削除を行い、削除が終了し次第、次の曲の再生を開始する。
【００１４】
（Ｃ）本発明第３の概略説明
本発明に係る記録再生装置ＨＵでは、まず、記録再生装置ＨＵに内蔵されている記録媒体に記録されている曲の再生を行う。そして再生中に操作部２２の削除キーＥＫより削除の指示があった場合、システムコントローラは再生中の曲の情報と曲が削除指示を受けたことを示す情報とをメモリに記憶する。そして、メモリに記憶した曲情報の曲を再生中に再度削除キーＥＫが押下され、削除解除の指示があった場合、メモリに記憶した曲情報の曲が削除指示を受けたことを示す情報を消去する。そして、再生中の曲の再生が終了したとき、メモリに記憶した曲情報の曲が削除指示を受けたことを示す情報があれば、記録媒体から該当する曲の削除を行い、削除が終了し次第、次の曲の再生を開始する。
【００１５】
（Ｄ）本発明第４の概略説明
図２は本発明の第４の概略説明図であり、ＨＵは記録再生装置であり、曲を記録する記録媒体、メモリ、記録再生装置の制御を行うシステムコントローラ等を内蔵している。２２は再生、ボリューム調整等の指示を行う操作部、２３は現在再生している曲の情報や再生中の曲を削除するか否かの確認等の表示を行う表示部、ＥＫは削除の指示を行うキー、ＥＫ１は再生中の曲を削除するか否かの確認表示がされた際に削除の決定を行うキー、ＥＫ２は再生中の曲を削除するか否かの確認表示がされた際に削除のキャンセルを行うキーである。
【００１６】
本発明に係る記録再生装置ＨＵでは、まず、記録再生装置ＨＵに内蔵されている記録媒体に記録されている曲の再生を行う。そして再生中に操作部２２の削除キーＥＫより削除の指示があった場合、システムコントローラは図２に示すように再生中の曲を削除するか否かの確認表示を表示部２３に出力し、表示した確認表示より削除を行う場合は表示部２３に表示した「ＯＫ」に対応するキーＥＫ１を押下すると、曲の再生を停止し、記録媒体から再生を停止した曲の削除を行う。又、表示した確認表示より削除をキャンセルする場合は表示部２３に表示した「ＮＯ」に対応するキーＥＫ２を押下すると、曲の削除がキャンセルされ引き続き現在再生中の曲の再生を行う。
【００１７】
（Ｅ）本発明の第１実施例
（ａ）本発明第１実施例の記録再生装置の構成
図３は本発明第１実施例の記録再生装置の構成図である。図中１０はラジオ受信用のアンテナ、１１はラジオの放送信号を受信し、検波信号を出力するラジオ受信部、１２はＣＤに記録された音楽情報を読み出してＣＤ信号やＣＤ−ＴＥＸＴ方式で記録された文字情報を出力するＣＤプレーヤ、１３はＭＰ３やＡＴＲＡＣ３等の形式に圧縮された音楽信号をハードディスク（ＨＤ）１３ｈに記録するハードディスクドライブ（ＨＤＤ）、１４はＨＤ１３ｈに記録されている圧縮音楽のデコードする処理を行なうデコーダである。
【００１８】
１５はラジオ受信部１１、ＣＤプレーヤ１２、ＨＤＤ１３の各ソース信号の切換えを行なうソース切替部、１６はソース切替部１５からのソース信号の音量を調節するためのボリュームコントローラ、１７はボリュームコントローラ１６で調節されたソース信号を増幅するアンプ、１８はスピーカ、２２はユーザーが曲の再生指示や曲の削除指示、ラジオのチャンネル選択、ソース切替、ボリューム調節の操作を行なう操作部、２３は現在選択しているソースの情報や再生している曲の情報等を表示する表示部である。
【００１９】
２４は操作部２２からの指示を受けてソース切替部１５の制御やボリュームコントローラ１６、デコーダ１４の制御、表示部２３への表示制御を行うシステムコントローラであり、操作部２２からの指示により、ＨＤＤ１３への記録を制御する記録制御部２４ａ、操作部２２よりＣＤプレーヤ１２やＨＤＤ１３からの再生や停止、早送り等の指示がされた場合にＣＤプレーヤ１２やＨＤＤ１３の再生制御を行う再生制御部２４ｂ、指示操作部２２より曲の削除が指示された場合、指示された曲をＨＤＤ１３より削除を行う制御を行う削除制御部２４ｃを備えている。
【００２０】
２５はラジオ受信部１１、ＣＤプレーヤ１２、ＨＤＤ１３を制御するためのプログラムやＨＤＤ１３から曲を削除するためのプログラム等が記憶されているＲＯＭ、２６は現在再生しているＣＤのトラック番号や経過時間等の情報を記憶するＲＡＭ、２７はＲＯＭ２５からの記憶データ読み出し、ＲＡＭ２６への情報の書き込みや読み出しを制御するメモリコントローラである。
【００２１】
（ｂ）本発明第１実施例のフローチャート
図４は本発明第１実施例のフローチャートであり、ＨＤＤ１３内のＨＤ１３ｈに記録されている曲を聴取中にその曲の削除指示を行なった場合の例である。まず、再生制御部２４ｂは操作部２２により選択された曲の再生を開始する（ステップ１０１）。ついで、システムコントローラ２４は操作部２２の削除キーが押下されたか否かを判定し（ステップ１０２）、削除キーが押下された場合、再生制御部２４ｂに再生停止指示を出力し、再生制御部２４ｂが現在再生中の曲の再生を停止する（ステップ１０３）。
【００２２】
次に、削除制御部２４ｃは停止した曲をＨＤ１３ｈより削除する指示をＨＤＤ１３へ送信し、指示を受けたＨＤＤ１３はＨＤ１３ｈより該当曲を削除する（ステップ１０４）。ついで、削除が終了し次第、ＨＤＤ１３はシステムコントローラ２４へ削除が終了したことを通知し、システムコントローラ２４は再生制御部２４ｂへ次曲の再生を指示し、再生制御部２４ｂは、次の曲の再生開始をＨＤＤ１３へ指示し、ＨＤＤ１３がＨＤ１３ｈより次曲の再生を開始する（ステップ１０５）。ステップ１０２において、削除キーが押下されない場合、システムコントローラ２４は現在再生中の曲の再生が終了したか否かを判定し（ステップ１０６）、終了した場合はステップ１０５の処理を行い、終了していない場合はステップ１０２の削除キーが押下されたか否かの判定を継続する。
【００２３】
（Ｆ）本発明の第２実施例
（ａ）本発明第２実施例の記録再生装置の構成
本発明第２実施例の記録再生装置の構成は本発明第１実施例の記録再生装置の構成（図３）と同様である。
【００２４】
（ｂ）ＲＡＭの記憶内容
図５（ａ）は本発明第２実施例のＲＡＭ２６の記憶内容の説明図である。現在再生中の曲の削除が操作部２２より指示された場合、システムコントローラ２４は再生中の曲の情報をＨＤＤ１３を介してＨＤ１３ｈより読み出す。そして、ＨＤ１３ｈより読み出した曲の情報、例えば曲順を示すｔｒａｃｋ  Ｎｏ．（２５）、曲名を示すｔｉｔｌｅ（ＡＢＣＤＥＦＧ）、曲の演奏者を示すａｒｔｉｓｔ（ＺＹＸＷＶＵ）、及び曲が記録されているＨＤＤ１３上のアドレスを示すａｄｄｒｅｓｓ（１０４Ａ２Ｆ）、曲の容量を示すｃａｐａｃｉｔｙ（５，２００ｋｂ）等をメモリコントローラ２７を介してＲＡＭ２６に記憶する。
【００２５】
（ｃ）本発明第２実施例のフローチャート
図６は本発明第２実施例のフローチャートであり、ＨＤＤ１３内のＨＤ１３ｈに記録されている曲を聴取中にその曲の削除指示を行なった場合の例である。又、本発明第１実施例のフローチャート（図４）と同様のステップには同じ番号を付してその説明を省略する。
【００２６】
ステップ１０２においてシステムコントローラ２４が操作部２２の削除キーが押下されたと判定した場合、現在再生中の曲の曲情報をＨＤＤ１３を介してＨＤ１３ｈより読み出し、メモリコントローラ２７を介してＲＡＭ２６に図５（ａ）のように記憶する（ステップ２０３）。次に、システムコントローラ２４は現在再生中の曲が終了したか否かを判定し（ステップ２０４）、終了していない場合、ステップ１０２の削除キーが押下されたか否かの判定を継続する。
【００２７】
一方、曲の再生が終了した場合はＲＡＭ２６に曲情報が記憶されているか否かを判定し（ステップ２０５）、記憶されていた場合、削除制御部２４ｃはＲＡＭ２６に記憶されている曲情報に対応する曲を削除する指示をＨＤＤ１３へ送出し、ＨＤＤ１３はＨＤ１３ｈより該当曲を削除する（ステップ２０６）。ついで、削除が終了し次第、ＨＤＤ１３はシステムコントローラ２４へ削除が終了したことを通知し、システムコントローラ２４は、メモリコントローラ２７を介してＲＡＭ２６より記憶した曲情報をクリアし、再生制御部２４ｂは次の曲の再生を開始する（ステップ１０５）。
【００２８】
ステップ１０２において、削除キーが押下されない場合、ステップ２０４の再生が終了したか否かの判定処理を継続して行う。ステップ２０５において、ＲＡＭ２６に曲情報が記憶されていない場合、次の曲の再生を開始する。
【００２９】
（Ｇ）本発明の第３実施例
（ａ）本発明第３実施例の記録再生装置の構成
本発明第３実施例の記録再生装置の構成は本発明第１実施例の記録再生装置の構成（図３）と同様である。
【００３０】
（ｂ）ＲＡＭの記憶内容
図５（ｂ）、（ｃ）は本発明第３実施例のＲＡＭ２６の記憶内容の説明図である。現在再生中の曲の削除が操作部２２より指示された場合、システムコントローラは再生中の曲の情報をＨＤＤ１３を介してＨＤ１３ｈより読み出す。そして、ＨＤ１３ｈより読み出した曲の情報を第２実施例（図５（ａ））の様に記憶し、更に削除のキャンセルを示すビット（ｃａｎｃｅｌ  ｂｉｔ）を設け、削除のキャンセルが操作部２２より指示されていなければ図５（ｂ）に示すように０を記憶し、キャンセルが指示された場合は図５（ｃ）に示すように１が記憶する。
【００３１】
（ｃ）本発明第３実施例のフローチャート
図７は本発明第３実施例のフローチャートであり、ＨＤＤ１３内のＨＤ１３ｈに記録されている曲を聴取中にその曲の削除指示を行なった場合の例である。又、本発明第１実施例のフローチャート（図４）、第２実施例のフローチャート（図６）と同様のステップには同じ番号を付してその説明を省略する。
【００３２】
ステップ１０２において、削除キーが押下されたと判定した場合、削除キーが押下されたのが初回か否かをシステムコントローラ２４が判定し（ステップ３０１）、初回でないと判定した場合は後述するステップ３０５の処理を行い、初回であると判定した場合は、曲情報をＨＤＤ１３を介してＨＤ１３ｈより読み出し、メモリコントローラ２７を介してＲＡＭ２６に図５（ｂ）のように記憶する（ステップ２０３）。
【００３３】
次に、システムコントローラ２４はメモリコントローラ２７を介してＲＡＭ２６に図５（ｂ）のようにキャンセルビットに０を記録し（ステップ３０２）、システムコントローラ２４は操作部２２の削除キーが更に押下されたか否かを判定し（ステップ３０４）、押下された場合、ステップ２０３において記憶したＲＡＭ２６のキャンセルビットをメモリコントローラ２７を介して反転させて記録する（ステップ３０５）。
【００３４】
ついで、システムコントローラ２４は現在再生中の曲が終了したか否かを判定し（ステップ３０６）、終了していない場合、ステップ１０２の削除キーが押下されたか否かの判定を継続する。一方、曲の再生が終了した場合はＲＡＭ２６に曲情報が記憶されているか否かを判定し（ステップ３０７）、曲情報が記憶されている場合、ＲＡＭ２６に記憶した曲情報のキャンセルビットが０か否かを判定する（ステップ３０８）。判定の結果、キャンセルビットが０であれば、削除制御部２４ｃはＲＡＭ２６に記憶されている曲情報の曲データをＨＤＤ１３より削除し（ステップ２０６）、キャンセルビットが１であれば、削除制御部２４ｃはＲＡＭ２６に記憶されている曲情報に対応する曲を削除する指示をＨＤＤ１３へ送出し、ＨＤＤ１３はＨＤ１３ｈより該当曲を削除するステップ２０７の処理を行う。
【００３５】
ステップ３０４において、操作部２２の削除キーが押下されていない場合、ステップ３０６の処理を行う。又、ステップ３０７においてＲＡＭ２６に曲情報が記憶されていない場合はステップ１０５の処理を行う。
【００３６】
（Ｈ）本発明の第４実施例
（ａ）本発明第４実施例の記録再生装置の構成
本発明第２実施例のオーディオ装置の構成は本発明第１実施例のオーディオ装置の構成（図３）と同様である。
【００３７】
（ｂ）本発明第４実施例のフローチャート
図７は本発明第４実施例のフローチャートでありＨＤＤ１３内のＨＤ１３ｈに記録されている曲を聴取中にその曲の削除指示を行なった場合の例である。又、本発明第１実施例のフローチャート（図４）、本発明第２実施例のフローチャート（図６）、第３実施例のフローチャート（図７）と同様のステップには同じ番号を付してその説明を省略する。
【００３８】
ステップ１０２において、削除キーが押下された場合、システムコントローラ２４は表示部２３に削除確認のメッセージを出力し、図２のように表示部２３に表示する（ステップ４０３）。ついで、システムコントローラ２４は、表示部２３に表示した削除確認表示である「ＯＫ」（図２）に対応する操作部２３に備えられたキーＥＫ１が押下されたか否かを判定し（ステップ４０４）、押下された場合、ステップ１０３の処理を行う。そして、ステップ１０４において、停止した曲をＨＤＤ１３を介してＨＤ１３ｈより削除した後、システムコントローラ２４は表示部２３に表示した削除確認のメッセージをオフする（ステップ４０５）。
【００３９】
ステップ４０４において、キーＥＫ１が押下されなかった場合、削除確認のメッセージ表示から所定時間後、例えば１５秒後に表示部２３への、削除確認のメッセージ表示をオフする（ステップ４０６）。又、ステップ４０４において、キーＥＫ１ではなく「ＮＯ」（図２）に対応する操作部２３に備えられたキーＥＫ２が押下された場合も同様である。
【００４０】
尚、本発明の実施例では曲をＨＤに記録し、前記曲を再生中に該当する曲を削除する例を用いて説明したが、曲に限らず、映像等を記録し、前記映像を再生中に該当する映像を削除することも可能である。以上のようにすることで、曲を再生中でも面倒な操作をすることなく削除を行える。
【００４１】
【発明の効果】
以上、本発明によれば、曲を再生中でも面倒な操作をすることなく所望の曲の削除を行うことができる。
【図面の簡単な説明】
【図１】本発明の第１の概略説明図である。
【図２】本発明の第４の概略説明図である。
【図３】本発明第１実施例の記録再生装置の構成図である。
【図４】本発明第１実施例のフローチャートである。
【図５】本発明のＲＡＭ２６の記憶内容の説明図である。
【図６】本発明第２実施例のフローチャートである。
【図７】本発明第３実施例のフローチャートである。
【図８】本発明第４実施例のフローチャートである。
【符号の説明】
ＨＵ・・記録再生装置
２２・・操作部
２３・・表示部
ＥＫ・・削除キー
【図１】
2004288295.tif 000003
【図２】
2004288295.tif 000004
【図３】
2004288295.tif 000005
【図４】
2004288295.tif 000006
【図５】
2004288295.tif 000007
【図６】
2004288295.tif 000008
【図７】
2004288295.tif 000009
【図８】
2004288295.tif 000010